(57)【要約】【課題】回転体を変更することなく容易に回転体の回転中心を重心から偏心したものとすることができ振動モータを提供する。【解決手段】振動モータは、回転体２０をケーシングから回転自在に支持するシャフト１０を備えている。シャフト１０は、回転体を貫通する貫通部１１と、この貫通部１１の両端部から各々屈曲して延び先端に形成された軸支部１３をケーシングに軸支される屈曲部１２とを有している。２つの軸支部１３を通る回転体２０の回転中心軸線Ａ１が、貫通部１１の軸線Ａから所定量オフセットしていることで、容易に回転体２０の回転中心Ｏ1を重心Ｇから偏心させることができる。【選択図】        図４−１
2008099533.tif 000002
【特許請求の範囲】
【請求項１】
内部空間を形成するケーシングと、
前記ケーシング内に収納された回転体と、
前記回転体を前記ケーシングから回転自在に支持するシャフトとを備え、
前記シャフトは、前記回転体を貫通する貫通部と、該貫通部の両端部から各々屈曲して延び先端に形成された軸支部を前記ケーシングに軸支される屈曲部とを有し、２つの前記軸支部を通る前記回転体の回転中心軸線が、前記貫通部の軸線から所定量オフセットしている
ことを特徴とする振動モータ。
【請求項２】
前記屈曲部が所望の弾性を有する
ことを特徴とする請求項１に記載の振動モータ。
【請求項３】
前記回転体の回転中心が該回転体の重心から偏心することによって発生する振動に対して、前記屈曲部が共振する
ことを特徴とする請求項１または２に記載の振動モータ。
【請求項４】
前記屈曲部の屈曲方向が可変である
ことを特徴とする請求項１から３のいずれか１項に記載の振動モータ。
【請求項５】
前記屈曲部の屈曲量が可変である
ことを特徴とする請求項１から４のいずれか１項に記載の振動モータ。
【請求項６】
前記シャフトが、弧状である
ことを特徴とする請求項１から５のいずれか１項に記載の振動モータ。
【請求項７】
前記ケーシングが、対向して設けられた一対の支持部材をさらに備え、
前記軸支部が、少なくとも先端部に形成された球面を前記支持部材に当接させて支持されている
ことを特徴とする請求項６に記載の振動モータ。
【請求項８】
前記軸支部が、球状をなし球面を前記支持部材に当接させてスラスト方向とラジアル方向に支持されている
ことを特徴とする請求項７に記載の振動モータ。
【請求項９】
前記シャフトが、クランク状である
ことを特徴とする請求項１から５のいずれか１項に記載の振動モータ。
【請求項１０】
前記回転体が、偏平形状である
ことを特徴とする請求項１から９のいずれか１項に記載の振動モータ。
【請求項１１】
前記回転体が、周方向に不均一な質量を有する
ことを特徴とする請求項１から１０のいずれか１項に記載の振動モータ。
【請求項１２】
前記屈曲部の屈曲方向に、前記回転体の重量の異なる部分が存在している
ことを特徴とする請求項１１に記載の振動モータ。
【請求項１３】
前記支部部材が、前記ケーシングに設けられた一対のすべり軸受である
ことを特徴とする請求項７に記載の振動モータ。
【請求項１４】
前記ケーシングが、対向して設けられた一対のボールベアリングをさらに備え、
前記軸支部が、前記ボールベアリングに支持されている
ことを特徴とする請求項１から５のいずれか１項に記載の振動モータ。
【請求項１５】
前記ケーシングが、対向して設けられた一対のピボット軸受をさらに備え、
前記軸支部が、前記ピボット軸受に支持されている
ことを特徴とする請求項１から５のいずれか１項に記載の振動モータ。
【請求項１６】
前記ケーシングが、隣接する他の装置のケーシングによって構成されている
ことを特徴とする請求項１から１５のいずれか１項に記載の振動モータ。
【請求項１７】
回転体と、
対向する位置に設けられた一対の軸受から前記回転体を回転自在に支持するシャフトとを備え、
前記シャフトは、前記回転体を貫通する貫通部と、該貫通部の両端部から各々屈曲して延び先端に形成された軸支部を前記ケーシングに軸支される屈曲部とを有し、２つの前記軸支部を通る前記回転体の回転中心軸線が、前記貫通部の軸線から所定量オフセットしている
ことを特徴とする回転子。
【請求項１８】
回転体とともに回転子を構成し、該回転体を対向する位置に設けられた一対の軸受から回転自在に支持する回転子のシャフトであって、
前記回転体を貫通する貫通部と、該貫通部の両端部から各々屈曲して延び先端に形成された軸支部を前記ケーシングに軸支される屈曲部とを有し、２つの前記軸支部を通る前記回転体の回転中心軸線は、前記貫通部の軸線から所定量オフセットしている
ことを特徴とする回転子のシャフト。
【請求項１９】
請求項１から請求項１６のいずれか１項に記載の振動モータを搭載している
ことを特徴とする移動通信端末。
【発明の詳細な説明】
【技術分野】
【０００１】
この発明は、回転子を装備したモータに関するものであり、特に回転子の回転中心に対して重心が偏心していることにより振動を発生する振動モータと、この振動モータに搭載される回転子と、その回転子のシャフトと、この振動モータを搭載した移動通信端末に関するものである。
【背景技術】
【０００２】
近年、たとえば、移動通信端末、携帯電話器、ポケットベル及びゲーム機器などの報知用機器においては、呼び出し信号を報知用機器の所有者のみに確実に知らせるとともに所有者以外に知られないようにする所謂サイレントコールを装備するものが一般的となっている。そして、このサイレントコールを実現するために、所有者に対し振動をもって呼び出し信号を報知するべく、振動を発生する振動モータを搭載した報知用機器が増えてきている。
【０００３】
一方、このような報知用機器は携帯に適するよう小型に作製されており、そして、この小型構造に適するように振動モータにも小型軽量化が求められている。また、携帯電話器の作動用電源は長時間補給することなく使用できるように、消費電流が少ないエネルギー効率のよいものが採用されているが、同じ目的で振動モータも低消費電流高効率なものが求められている。
【０００４】
振動モータの振動の大きさは、回転数が同じ場合、回転子（回転体）の質量と回転子の回転中心から重心までの距離の積によって決まる。そのため、従来、回転子（回転体）の形状を半円或いは扇形形状として回転中心から重心までの距離を大きくなるようにし、さらに錘を回転子（回転体）の回転中心からなるべく離れた位置に配設して大きな振動を得ることが一般的となっている（例えば、特許文献１参照）。
【０００５】
【特許文献１】特開平１０−２７１７４３号公報
【発明の開示】
【発明が解決しようとする課題】
【０００６】
このような振動モータの振動は、小さすぎると所有者に報知することができないが、反対に大きすぎると所有者に不快感を与えたり機器の損傷の原因になったりする。そのため、適度な大きさに調整されることが必要となる。一方、近年更なる軽量化の要求に応じて錘を排除するものも増えてきた。錘を搭載している振動モータの場合、錘の増減により振動の大きさの調整が可能であるが、錘を搭載してないものの場合、回転子（回転体）の設計変更をしなくてはならず、その調整は容易ではない。
【０００７】
この発明は上述のような課題を解決するためになされたもので、回転体を変更することなく容易に回転中心軸線をオフセットすることができ、これにより容易に回転体の回転中心を重心から偏心したものとすることができ、また、錘を搭載することなく所望の大きさの振動を発生することができる振動モータと、この振動モータに用いられる回転子と、その回転子のシャフトと、この振動モータを搭載した移動通信端末とを提供することを目的とする。
【課題を解決するための手段】
【０００８】
上記課題を解決するために、本発明の一形態に係る振動モータは、内部空間を形成するケーシングと、ケーシング内に収納された回転体と、回転体をケーシングから回転自在に支持するシャフトとを備え、シャフトは、回転体を貫通する貫通部と、この貫通部の両端部から各々屈曲して延び先端に形成された軸支部をケーシングに軸支される屈曲部とを有し、２つの軸支部を通る回転体の回転中心軸線が、貫通部の軸線から所定量オフセットしていることを特徴とする。
【０００９】
なお、ここでケーシングとは、回転体を包囲する構造を意味するものであって、必ずしもモータの外殻を形成するものに限られるものではなく、例えば隣接する他の装置のケーシング（外壁）等により構成されているものも含む。また、ケーシングが形成する内部空間は、完全に密閉されているものに限らず外部空間と連通する窓が形成されているものも含み、さらにはこの窓が占める割合が大きいものも含む。
【００１０】
また、ここで屈曲とは、広く軸線上から他の方向へ曲がる状態を意味するものであって、必ずしもなめらかに弧を描いて湾曲するものに限られるものではなく、直線状のものが、１から複数箇所にて屈折するようなものでもよく、例えばクランク状に折れ曲がるものなどでもよい。
【００１１】
また、本発明の一形態の発明に係る回転子は、回転体と、対向する位置に設けられた一対の軸受から回転体を回転自在に支持するシャフトとを備え、シャフトは、回転体を貫通する貫通部と、この貫通部の両端部から各々屈曲して延び先端に形成された軸支部をケーシングに軸支される屈曲部とを有し、２つの軸支部を通る回転体の回転中心軸線が、貫通部の軸線から所定量オフセットしていることを特徴とする。
【００１２】
さらに、本発明の一形態の発明に係る回転子のシャフトは、回転体とともに回転子を構成し、この回転体を対向する位置に設けられた一対の軸受から回転自在に支持する回転子のシャフトであって、回転体を貫通する貫通部と、この貫通部の両端部から各々屈曲して延び先端に形成された軸支部をケーシングに軸支される屈曲部とを有し、２つの軸支部を通る回転体の回転中心軸線は、貫通部の軸線から所定量オフセットしていることを特徴とする。
【００１３】
さらにまた、本発明の一形態の発明に係る移動通信端末は、上述の本発明の一形態の発明に係る振動モータを搭載していることを特徴とする。
【発明の効果】
【００１４】
本発明の一形態に係る振動モータによれば、回転体を変更することなく回転体の回転軸中心線を所定の方向に容易にオフセットすることができる。これにより、回転体の重心を回転軸中心から容易に偏心させることができ容易に振動モータを構成することができるという効果を得ることができる。
【００１５】
また、本発明の一形態に係る振動モータによれば、屈曲部が所望の弾性を有するので、回転中心が重心から偏心することによって発生する回転体の振動にともない、この回転体を支持する屈曲部が振動するので、振動が大きくなるという効果を得ることができる。
【００１６】
さらに、本発明の一形態に係る振動モータによれば、回転体の回転中心が回転体の重心から偏心することによって発生する振動に対して、屈曲部が共振するので、回転中心が重心から偏心することによって発生する回転体の振動と屈曲部の振動とが合成され、さらに大きな振動が発生するという効果を得ることができる。
【００１７】
さらにまた、本発明の一形態に係る振動モータによれば、屈曲部の屈曲方向を変えることにより、回転体の回転中心軸線を任意の方向にオフセットすることができるという効果を得ることができる。
【００１８】
また、本発明の一形態に係る振動モータによれば、屈曲部の屈曲量を変えることにより、回転体の回転中心軸線を任意の距離だけオフセットすることができるという効果を得ることができる。
【００１９】
さらに、本発明の一形態に係る振動モータによれば、シャフトが弧状であるので、棒状材料を湾曲させて容易に作製することができるとともに、回転子に設けられた透孔への貫通が簡単で回転体とシャフトとの組み立てが容易となるので、小型軽量化の実現が容易になるとともに、コストダウンを図ることができるという効果を得ることができる。
【００２０】
さらにまた、本発明の一形態に係る振動モータによれば、軸支部が、少なくとも先端部に形成された球面を支持部材に当接させて支持されているので、シャフトは小さな接触面にて支持されることとなり、回転体が回転する際に少ない抵抗となるのでモータの性能が向上するという効果を得ることができる。
【００２１】
また、本発明の一形態に係る振動モータによれば、軸支部が、球状をなし球面を支持部材に当接させてスラスト方向とラジアル方向に支持されているので、シャフトはスラスト方向とラジアル方向において小さな接触面にて支持されることとなり、回転体が回転する際に少ない接触抵抗となるのでモータの性能がさらに向上するという効果を得ることができる。
【００２２】
さらに、本発明の一形態に係る振動モータによれば、シャフトがクランク状であるので、両端部を容易に同一直線上に配置することができるので、支持構造が簡単で作製容易なものとなり、小型軽量化の実現が容易になるとともに、コストダウンを図ることができるという効果を得ることができる。
【００２３】
さらにまた、本発明の一形態に係る振動モータによれば、回転体が偏平形状であるので、シャフトを貫通させやすく作製が容易となる他、オフセットの距離に対して振動に関与する質量が小さくなるので振動の大きさの調整が容易となるという効果を得ることができる。
【００２４】
また、本発明の一形態に係る振動モータによれば、回転体が、周方向に不均一な質量を有するので、屈曲部の屈曲方向と組み合わせることにより、振動の大きさを所望のものとすることができるという効果を得ることができる。
【００２５】
さらに、本発明の一形態に係る振動モータによれば、屈曲部の屈曲方向に、回転体の重量の異なる部分が存在しているので、例えば屈曲部の屈曲方向に重心が偏心している重量の重い部分を位置させることにより、重心と回転中心との距離が大きくなり、振動の大きさをより大きくすることができるという効果を得ることができる。
【００２６】
さらにまた、本発明の一形態に係る振動モータによれば、支部部材がすべり軸受であるので、軸受として材料が安価であるとともに構造が簡単で組み立てが容易となり、小型軽量化の実現が容易になるとともに、コストダウンを図ることができるという効果を得ることができる。
【００２７】
また、本発明の一形態に係る振動モータによれば、軸支部がボールベアリングに支持されているので、軸支部の抵抗を少なくすることができ、高性能なモータとすることができるという効果を得ることができる。
【００２８】
さらに、本発明の一形態に係る振動モータによれば、軸支部がピボット軸受に支持されているので、軸受として材料が安価であるとともにシャフトの軸支部の加工が容易となり、小型軽量化の実現が容易になるとともに、コストダウンを図ることができるという効果を得ることができる。
【００２９】
さらにまた、本発明の一形態に係る振動モータによれば、ケーシングが、隣接する他の装置のケーシングによって構成されているので、この振動モータを搭載する機器の軽量化を図ることができるとともに、部品点数を少なくすることができるので、小型軽量化の実現が容易になるとともに、コストダウンを図ることができるという効果を得ることができる。
【００３０】
また、本発明の一形態に係る回転子によれば、回転体に変更を加えることなく回転体の回転軸中心線を所定の方向に容易にオフセットすることができる。これにより、回転体の重心を回転体の回転軸中心から容易に偏心させることができという効果を得ることができる。
【００３１】
さらに、本発明の一形態に係る回転子のシャフトによれば、回転子の回転体に変更を加えることなく回転体を変更することなく回転体の回転軸中心線を所定の方向に容易にオフセットすることができる。これにより、回転体の重心を回転体の回転軸中心から容易に偏心させることができという効果を得ることができる。
【００３２】
さらにまた、本発明の一形態に係る移動通信端末によれば、上述の本発明の一形態の発明に係る振動モータを搭載しているので、振動モータの回転体の重心を回転軸中心から容易に偏心させることができ、小型軽量化を図ることができるともにコストダウンを図ることができるという効果を得ることができる。
【発明を実施するための最良の形態】
【００３３】
以下、本発明に係る振動モータ、回転子、回転子のシャフトおよび移動通信端末の実施の形態を図面に基づいて詳細に説明する。なお、この実施の形態によりこの発明が限定されるものではない。
【００３４】
実施の形態１．
図１は本発明に係る振動モータの実施の形態１を示す分解斜視図である。図２は同じく実施の形態１の振動モータの横断面図である。振動モータ８０は、ボタン型電池形状の扁平形を成している。そして、振動モータ８０は、この扁平形の外郭を形作るとともに内部に密閉空間を形成するケーシング４０と、このケーシング４０の内部空間に回転自在に収納された回転子３０とを有している。さらにこの回転子３０は、概略円形平板状の回転体２０と、この回転体２０の中央穴に挿通され回転体２０をケーシング４０に対して回転自在に支持する湾曲シャフト（シャフト）１０とを有している。
【００３５】
回転体２０は、概略円形の支持板２１と、この支持板２１に搭載された３個の空心コイル２２と、支持板２１の一側の面（下面）に設けられた整流子２３とを有している。湾曲シャフト１０は、概略弧状に湾曲して自らの中間部にこの支持板２１を貫通させて両端部（上下端部）を支持板２１から突出させている。
【００３６】
ケーシング４０は、偏平カップ状のケース４１と、ケース４１の開口部を覆う底板４２とから構成されている。ケース４１と底板４２の中央部には、それぞれすべり軸受け（支持部材）４３，４４が設けられおり、ケーシング４０はこのすべり軸受け４３，４４で湾曲シャフト１０の上下端を軸支することにより回転子３０を回転自在に支持している。
【００３７】
底板４２の空心コイル２２に対向する面に界磁磁極を形成するマグネット５１が環状に固定配置されている。マグネット５１の内周には上記整流子２３と摺接するブラシ５２がブラシホルダ５３上に立設されている。ブラシホルダ５３と底板４２との間にブラシホルダ５３に給電するためのＦＰＣ５４が配設され、ケーシング４０の外部にその端子５５が突出している（図２）。
【００３８】
このような構成の振動モータ８０の端子５５に所定の電圧を印加すると、上記ＦＰＣ５４を介してブラシ５２から整流子２３、更に空心コイル２２へと給電され、環状に配置されマグネット５１との磁気相互作用により回転子３０が回転駆動する。
【００３９】
図３は図２の湾曲シャフト１０の部分を拡大して示す図である。湾曲シャフト１０は、鋼の棒材を材料として全体を弧状に湾曲させて一体に成形され、その後熱処理されて作製されている。湾曲シャフト１０は、回転体２０の支持板２１を貫通する貫通部１１と、この貫通部１１の両端部から各々屈曲して延びる屈曲部１２と、屈曲部１２の先端に形成された球状の軸支部１３の３つの機能的な部分から構成されている。湾曲シャフト１０は、支持板２１の中央に形成された透孔に挿入されたのち、図示しない接着剤（樹脂）によって支持板２１に固着される。湾曲シャフト１０は、両端部の軸支部１３をすべり軸受け４３，４４に軸支されて回転自在に支持されている。すべり軸受け４３，４４は、概略有底円筒状を成しており、軸支部１３は、球面をすべり軸受け４３，４４の内周面と底面に当接させてスラスト方向（図３中矢印Ｓ）とラジアル方向（図３中矢印Ｒ）の２方向に支持されている。
【００４０】
図４−１は回転中心軸線がオフセットする様子を説明するための模式図である。図４−２は図４−１を上方から見た図である。なお、図４−１および図４−２ではより解り安いものとするために回転体２０に対して湾曲シャフト１０を誇張して示している。ここで、円板状の回転体２０の重心Ｇは円板の中心にある。つまり、回転体２０の重心Ｇは、湾曲シャフト１０を貫通させるための穴中心にある。回転体２０は、湾曲シャフト１０の両端部の軸支部１３を軸支されて回転するので、その回転中心軸線Ａ1は、湾曲シャフト１０の貫通部１１の軸線Ａから図中矢印の方向へ距離Ｆだけオフセット（平行移動）した場所に移動する。
【００４１】
図５は回転体２０が回転中心を重心から偏心させて回転する様子を説明するための図であり、回転中心となる軸支部１３と回転する重心Ｇを示しその他の部分は省略している。図５に示すように、回転体２０の重心Ｇは、シャフト１０の軸支部１３を通る線上の点Ｏ1を回転中心として回転する。このように、回転体２０が、回転中心に対して重心を所定距離だけ偏心させて回転すると、回転体２０自体が錘となって作用し振動を発生させる。
【００４２】
また、屈曲部１２は僅かに弾性を有している。そのため、回転体２０が図５中白抜き矢印の向きに回転し所定の大きさの振動が発生したとき、この振動にともなって、屈曲部１２は回転方向（図５中Ｆa）および回転と反対方向（図５中Ｆb）に僅かにしなり（図５ではしなりの大きさを誇張して示している）、両方向のしなりを繰り返す。つまり、回転体２０の振動にともない屈曲部１２も振動する。なお、後述するように、屈曲部１２は円周方向にしなって振動するとともに、半径方向にもしなって振動する。この屈曲部１２のしなり（振動）の大きさは、振動モータ８０が規定回転数に達したときの振動の大きさと屈曲部１２の長さと屈曲部１２の弾性係数によって決まる。そして、振動モータ８０が規定回転数に達したときの回転体２０の振動数と屈曲部１２の固有振動数とが一致すると両振動は共振して大きな振動となる。すなわち、屈曲部１２（シャフト１０）の材料として適当なものを選択するか或いは屈曲部１２の長さを調節することにより、屈曲部１２が回転体２０の振動に共振するようにすれば、相乗効果により両振動が合成されて大きな振動を得ることができる。
【００４３】
図６はシャフト１０の湾曲量の変化にともない回転中心軸線のオフセット量が変わる様子を示す側面図である。図６の実線は本実施の形態の屈曲部１２の湾曲する様子を示す。屈曲部１２は、ほぼ均一な曲率にてなめらかに弧を描いて湾曲している。これに対して、図６に破線にて示す屈曲部１２は、貫通部１１との境（シャフト１０が支持板２１から出てすぐの部分）にて折れ曲がり、その部分から軸支部１３までほぼ直線状に延びている。実線にて示す屈曲部１２が、回転中心軸線Ａ1を貫通部１１の軸線Ａから距離Ｆ1オフセットさせるのに対して、破線にて示す屈曲部１２は、回転中心軸線Ａbを距離Ｆ2オフセットさせる。このように、シャフト１０は、屈曲部１２の湾曲量を変えることにより、回転中心軸線を任意の距離オフセットさせることができる。
【００４４】
なお、回転体２０が回転し所定の大きさの振動が発生したとき、この振動にともなって、屈曲部１２は半径方向にも振動する。この屈曲部１２の半径方向の振動も回転体２０の振動に寄与する。そして、屈曲部１２が回転体２０の振動に共振するようにすれば、相乗効果により両振動が合成されて大きな振動を得ることができる。ここで、屈曲部１２の半径方向の振動は、図６に破線にて示す直線的なものより、実線にて示す湾曲したものの方が半径方向に伸縮する量が大きくなるので、その振幅を大きくすることができる。
【００４５】
図７は本実施の形態の湾曲シャフト１０を他の回転体２０Ａに適用した例を示す上面図である。回転体２０Ａは外周部の一部が大きく欠けた円板状を成している。そのため、回転体２０Ａの質量は周方向に不均一なものとなっている。これにより、回転体２０Ａの重心Ｇは外周円の中心から質量の思い方向に所定距離離れた位置にある。一方、シャフト１０の屈曲部１２は所定の方向に曲げられて、回転体２０Ａの回転中心は点Ｏ1の位置にある。ここで、屈曲部１２の屈曲方向を図７中破線のように変化させると、回転体２０Ａの回転中心を点Ｏ2や点Ｏ3の位置に移動する。
【００４６】
回転体２０Ａが発生する振動の大きさは、回転数が同じ場合、回転中心から重心Ｇまでの距離によって決まるので、屈曲部１２を重心Ｇ方向に湾曲させて回転中心から重心Ｇまでの距離を小さくすることにより振動の大きさを小さく、屈曲部１２を重心Ｇと反対の方向に湾曲させて回転中心から重心Ｇまでの距離を大きくすることにより振動の大きさを大きくすることができる。また、回転体２０Ａの回転中心を重心Ｇに重なるように移動させることで振動を全く無くすこともできる。
【００４７】
図８は回転体の質量が周方向に不均一なものとなる他の例を示す回転体の概略の横断面図である。図８に示す例においては、回転体２０Ｂの支持板２１Ｂの厚さが周方向に不均一なものとされている。つまり、周方向に沿って厚さの厚い部分と厚さの薄い部分とが形成されている。このような周方向に不均一な質量を有する回転体の場合、屈曲部の屈曲方向と組み合わせることにより、振動の大きさを大きくしたり小さくしたりすることができる。図８に示す例においては、重量の重い部分の存在と屈曲部１２の屈曲方向をこの重い部分と反対方向にする組み合わせにより、振動の大きさをより大きくしている。なお、図８に示す例にさらに関連する他の例として、回転体の支持板が金属製のプレートとこのプレートの両面に形成された所定厚みの樹脂層とから構成されているものがあるが、このような構造の場合、重さの軽い樹脂層は振動の発生にほとんど寄与しない。そのため、金属製のプレートを図８に示す支持板２１Ｂのように構成すれば同様の効果を得ることができる。
【００４８】
図９は回転体の質量が周方向に不均一なものとなる更に他の例を示す回転体の上面図である。図９に示す回転体２０Ｃにおいては、図１に示す回転体において、隣り合う空心コイル２２の間に、重さを重くするために挿入された錘２４と、重さを軽くするために形成された２つの貫通穴２５が設けられている。この錘２４と貫通穴２５との作用により回転体２０Ｃの重心Ｇは、シャフト１０の挿入位置から錘２４の方向へ所定距離移動した位置にある。このような回転体２０Ｃに対してシャフト１０の湾曲方向を重心Ｇと反対の方向へ向けることにより、回転体２０Ｃの回転体中心軸線と重心Ｇとの距離を大きくすることができ、振動の大きさを大きくすることができる。
【００４９】
図１０は本実施の形態の湾曲シャフトの他の支持方法を示す側面図である。図１０に示す湾曲シャフト１０Ｂにおいては、軸支部１３Ｂがボールベアリング４３Ｂに支持されているので、軸支部１３Ｂの抵抗を少なくすることができ、高性能なモータとすることができる。
【００５０】
図１１は本実施の形態の湾曲シャフトのさらに他の支持方法を示す側面図である。図１１に示す湾曲シャフト１０Ｃにおいては、軸支部１３Ｃがピボット軸受４３Ｃに支持されている。軸支部１３Ｃは円錐状に加工され先端部が半球面とされており、この半球面をピボット軸受４３Ｃの凹部に当接させてラジアル方向とスラスト方向に支持されている。このような支持方法とすることにより、軸受部材を安価とすることができるとともに湾曲シャフト１０Ｃの軸支部１３Ｃの加工が容易となり、小型軽量化の実現が容易になるとともに、コストダウンを図ることができる。
【００５１】
以上のように本実施の形態の振動モータにおいては、回転体を変更することなく回転体の回転軸中心線を所定の方向に容易にオフセットすることができる。これにより、回転体の重心を回転軸中心から容易に偏心させることができ容易に振動モータを構成することができる。
【００５２】
また、回転体の回転中心軸線が回転体の重心から偏心することによって発生する振動に対して屈曲部が振動し、さらに屈曲部はこの振動に共振するので、回転中心が重心から偏心することによって発生する回転体の振動と屈曲部の振動とが合成され、さらに大きな振動が発生する。
【００５３】
さらに、シャフトの屈曲部の屈曲方向および屈曲量を変えることにより、回転体の回転中心軸線を任意の方向に任意の距離だけオフセットすることができる。
【００５４】
さらにまた、軸支部が、球状をなし球面を支持部材に当接させてスラスト方向とラジアル方向に支持されているので、シャフトはスラスト方向とラジアル方向において小さな接触面にて支持されることとなり、回転体が回転する際に少ない抵抗となるのでモータの性能が向上する。
【００５５】
また、シャフトが弧状であるので、棒状材料を湾曲させて容易に作製することができるとともに、回転子に設けられた透孔への貫通が簡単で回転体とシャフトとの組み立てが容易となり、さらに、シャフトを支持する支部部材がすべり軸受であるので、軸受として材料が安価であるとともに構造が簡単で組み立てが容易となり、小型軽量化の実現が容易になるとともに、コストダウンを図ることができる。
【００５６】
実施の形態２．
図１２は本発明に係る振動モータの実施の形態２を示すシャフトの側面図である。本実施の形態のクランクシャフト（シャフト）６０は、鋼の棒材を材料として３箇所を直角に折り曲げて一体に成形され、その後熱処理されて作製されている。その他の構成は実施の形態１と同様である。クランクシャフト６０は、回転体２０の支持板２１を貫通する貫通部６１と、この貫通部６１の両端部から各々クランク状に折れ曲がって延びる屈曲部６２と、屈曲部６２の先端に形成された円筒状の軸支部６３との機能的な部分から構成されている。クランクシャフト６０の両端に設けられた円筒状の軸支部６３は、同一直線上に配置されている。クランクシャフト６０は、支持板２１の中央に形成された大きめの透孔に挿入されたのち、図示しない接着剤（樹脂）により固着される。クランクシャフト６０は、両端部の軸支部６３をすべり軸受け４３，４４に軸支されて回転自在に支持されている。軸支部６３は、円筒の側面をすべり軸受け４３，４４の内周面に当接させてラジアル方向（図３中矢印Ｒ）に支持されるとともに、円筒の頂面をすべり軸受け４３，４４の底面に当接させてスラスト方向（図３中矢印Ｓ）に支持されている。なお、ともない回転体２０の振動にともない屈曲部６２が円周方向と半径方向に振動する動作は実施の形態１のものと同様である。
【００５７】
以上のように本実施の形態のシャフトにおいては、クランク状を成すので、両端に設けられた円筒状の軸支部を容易に同一直線上に配置することができるので、支持構造が簡単で作製容易なものとなり、小型軽量化の実現が容易になるとともに、コストダウンを図ることができる。
【００５８】
実施の形態３．
図１３は本発明に係る振動モータの実施の形態３を示す携帯電話器の横断面図である。本実施の形態の振動モータ８０Ｂは、移動通信端末としての携帯電話器１００に搭載されている。そして、振動モータ８０Ｂのケーシングは、携帯電話器１００のケーシングと隣接する他の装置のケーシングとによって構成されている。具体的には、振動モータ８０Ｂは、裏面（実施の形態１の底板４２に相当）を蓄電池９１により覆われ、対向する前面を携帯電話器１００のケーシング１００ａにより覆われ、側面をそれぞれ押ボタン装置９２、および受話装置９３との隔壁により覆われて、この空間内に構成されている。片側のすべり軸受け４３はケーシング１００ａの裏面に直接固定されている。対向する他方のすべり軸受け４４は蓄電池９１の表面に直接固定されている。回転子３０は、両すべり軸受け４３，４４に軸支されて空間内に収納されている。図示しないマグネットおよびブラシホルダは蓄電池９１の表面に直接固定されている。なお、このケーシングの構成は一例であり、この構成に限定されるものではない。
【００５９】
以上のように本実施の形態の振動モータにおいては、振動モータのケーシングが、隣接する他の装置のケーシングによって構成されているので、この振動モータを搭載する機器の小型軽量化を図ることができるとともに、部品点数を少なくすることができるので、コストダウンを図ることができる。なお、ここで隣接する他の装置のケーシングとは、上記のように振動モータが例えば携帯電話器等の機器に組み込まれたときに隣接する他の装置のことであり、組み込む携帯電話器のケーシングも含まれる。
【００６０】
なお、上記実施の形態１から３においては、振動モータとしてボタン型（コインタイプ）でブラシを有するものを挙げているが、本発明は、回転体とこの回転体を回転自在に支持するシャフトとを有するモータであれば広く適用できるものであり、上記実施の形態のようなボタン型或いはブラシタイプのものに限定されるものではない。また、搭載される機器としては、実施の形態３に挙げた携帯電話器（移動通信端末）に限られるものではなく、ポケットベルやゲーム機器などにも搭載される。
【産業上の利用可能性】
【００６１】
この発明の振動モータは、全体が錘として機能する回転体を搭載するものであり、移動通信端末、携帯電話器、ポケットベルなどの報知用機器のサイレントコールに用いられる振動モータに適用されて好適なものであり、特に小型軽量で大きな振動を要求される振動モータに適用されて最適なものである。
【図面の簡単な説明】
【００６２】
【図１】本発明に係る振動モータの実施の形態１を示す分解斜視図である。
【図２】本発明に係る振動モータの実施の形態１を示す横断面図である。
【図３】図２の湾曲シャフトの部分を拡大して示す図である。
【図４−１】回転中心軸線がオフセットする様子を説明するための模式図である。
【図４−２】回転中心軸線がオフセットする様子を説明するための図であり、図４−１を上方から見た図である。
【図５】回転体の回転中心を重心から偏心させて回転する様子を説明するための図であり、回転中心となる軸支部と回転する重心を示しその他の部分は省略した図である。
【図６】シャフトの湾曲量の変化にともない回転中心軸線のオフセット量が変わる様子を示す側面図である。
【図７】実施の形態１の湾曲シャフトを他の回転体に適用した例を示す上面図である。
【図８】回転体の質量が周方向に不均一なものとなる他の例を示す回転体の概略の横断面図である。
【図９】回転体の質量が周方向に不均一なものとなる更に他の例を示す回転体の上面図である。
【図１０】実施の形態１の湾曲シャフトの他の支持方法を示す側面図である。
【図１１】実施の形態１の湾曲シャフトのさらに他の支持方法を示す側面図である。
【図１２】本発明に係る振動モータの実施の形態２を示すシャフトの側面図である。
【図１３】本発明に係る振動モータの実施の形態３を示す移動通信端末の横断面図である。
【符号の説明】
【００６３】
１０，１０Ｂ，１０Ｃ  湾曲シャフト（シャフト）
１１  貫通部
１２  屈曲部
１３，１３Ｂ，１３Ｃ  軸支部
２０，２０Ａ，２０Ｂ，２０Ｃ  回転体
２１，２１Ｂ  支持板
２２  空心コイル
２３  整流子
２４  錘
２５  貫通穴
３０  回転子
４０  ケーシング
４１  ケース
４２  底板
４３，４４  すべり軸受け
４３Ｃ  ピボット軸受
４３Ｂ  ボールベアリング
５１  マグネット
５２  ブラシ
５３  ブラシホルダ
５４  ＦＰＣ
５５  端子
６０  クランクシャフト（シャフト）
６１  貫通部
６２  屈曲部
６３  軸支部
８０、８０Ｂ  振動モータ
９１  蓄電池
９２  押ボタン装置
９３  受話装置
１００ａ  ケーシング
１００  携帯電話器（移動通信端末）
【図１】
2008099533.tif 000003
【図２】
2008099533.tif 000004
【図３】
2008099533.tif 000005
【図４−１】
2008099533.tif 000006
【図４−２】
2008099533.tif 000007
【図５】
2008099533.tif 000008
【図６】
2008099533.tif 000009
【図７】
2008099533.tif 000010
【図８】
2008099533.tif 000011
【図９】
2008099533.tif 000012
【図１０】
2008099533.tif 000013
【図１１】
2008099533.tif 000014
【図１２】
2008099533.tif 000015
【図１３】
2008099533.tif 000016